(57)【要約】      （修正有）【課題】工具ホルダを所望の場所に装着することができ、かつ腰ベルトをサポータベルトにズレなく装着できるベルト通しと、該ベルト通しを備えた高所作業用安全帯サポータベルトを提供する。【解決手段】ベルト通し１は、一の帯状体を長さ方向において略三分の二の箇所で折り返し重合して第一のループ１２を形成するとともに長片１０ａと短片１０ｂとを形成し、短片１０ｂの端部を固定カン２０、３０に挿通反転して短片の所望の位置に重合して第二のループ１３を設け、長片１０ａは固定カン２０、３０に挿通して折り曲げたときに互いに対向する部分を有し、該対向する部分に雌雄が互いに逆となる面ファスナ５１、５２が設けられている。【選択図】図１
0003198912.tif 000002
【実用新案登録請求の範囲】
【請求項１】
一の帯状体を長さ方向において略三分の二の箇所で折り返し重合して第一のループを形成するとともに長片と短片とを形成し、
前記短片の端部を固定カンに挿通し反転重合して第二のループを設け、
前記長片は前記固定カンに挿通して折り曲げたときに互いに対向する部分を有しており、該対向する部分に雌雄が互いに逆となる面ファスナの組が設けられていることを特徴とするベルト通し。
【請求項２】
前記固定カンは一対であることを特徴とする請求項１に記載のベルト通し。
【請求項３】
ランヤードのフックを連結することができる連結カンを前記第一のループに挿通していることを特徴とする請求項１又は２に記載のベルト通し。
【請求項４】
請求項１ないし３のいずれかに記載の一又は複数のベルト通しを備える安全帯サポータベルトであって、
作業者の胴部に巻き付け可能な周長の胴ベルトであって、該胴ベルトの先端又はその近傍を係止しうるベルト金具を備える胴ベルトと、
前記胴ベルトを通して保持するためのベルト挿入部を備え、該作業者の腰部を包み込む腰部サポータと、
を備える安全帯サポータベルト。
【考案の詳細な説明】
【技術分野】
【０００１】
本考案は、高所作業用安全帯の補助具として、作業者の腰の負担を軽減する安全帯サポータベルトとこれに用いられるベルト通しに関する。
【背景技術】
【０００２】
滑落事故や墜落事故の防止のために、作業の現場において安全帯の着用が求められる。安全帯は、作業者の胴部をベルトにより支持する構造で、命綱としてのロープ部分と、それを支持物に固定するためのフックと、滑落時または墜落時に人体を保持するための胴ベルトとを備える。したがって、安全帯の着用者は、滑落時または墜落時に支持物につられることから、着用者の腰部に、胴ベルトのベルト部分を介して所定の荷重が負荷されうる。
【０００３】
また、複数のベルト、例えば２本の肩ベルトからなり、それら肩ベルトは着用者の背中部分で交差され、ベルトそれぞれが着用者の左右の肩に掛け回されるハーネスという製品がある。ハーネスの肩ベルトの各端部は、着用者の腿の位置まで下ろされ、さらに、腿ベルトに接続される。腿ベルトは左右の腿を保持するように着用者の腿に装着される。ハーネスは、胴ベルトとともに着用される形態のものもある。このハーネスにおいても、そのベルトにはロープを保持する連結部が設けられ、その連結部にロープが接続され、ロープ部分の他端にはフックが設けられている。したがって、ハーネスの着用者もフック及びロープを介して支持物につられるような状態になる場合がある。この場合も、ハーネスの着用者の腰部に、胴ベルトのベルト部分を介して所定の荷重がかかる。
【０００４】
このような作業者の腰の負担を軽減するための補助具として、胴ベルトの内側に、その胴ベルトより幅寸法の大きなクッション性に優れた腰部サポータとしてのサポータベルトが開発されている。サポータベルトは、着用者の腰部の少なくとも半分以上を覆う程度の大きさの板状部材と、板状部材と重なるように取り付けられた緩衝材と、胴ベルトを板状部分又は緩衝材部分に保持させるベルト通しとを備える。
【０００５】
上述したとおり、安全帯の一部として胴ベルトは、本来落下時に人体を保持するものであるが、一般に腰道具を装着して作業されることが作業現場では少なくない。そのため、サポータベルト等を作業者が腰部に装着した後でも、作業用工具を該サポータベルト等に取り付けられる工具ホルダが種々提案されている。
【０００６】
通常、ハーネスや胴ベルトと、サポータベルトとは別体であるので、着用者は、サポータベルトのベルト通しに胴ベルトを通すことにより、サポータベルトに胴ベルトを装着させる。着用者はそのサポータベルトに胴ベルトを装着させた状態で、胴部にその胴ベルトを着用する。ハーネスを用いる場合はさらに胴ベルトとハーネスとを接続する場合もある。
【０００７】
工具ホルダが胴ベルトに装着するものである場合には、胴ベルトを、工具ホルダのベルト通しに通しながら、サポータベルトのベルト通しに通すことになる。このような構造であると、工具ホルダを取り外す場合は、胴ベルトをサポータベルトから取り外す必要があり、着用者にとって扱いが不便である。ベルト通しがサポータベルトに固定されているものであっても、左右に移動できるものであっても、ベルト挿通孔が閉鎖されている限り、上記不便さは変わらない。
【０００８】
サポータベルトに関して、ベルト通しに着目した提案は少ないが、腰ベルトとサポータベルトのズレを防止するためのベルト通しが特許文献１に提案されている。特許文献１に係る発明は、サポータベルトのベース部に、ベルト挿入部が接続され、そのベルト挿入部におけるベルト挿通孔には、その孔を狭める方向に突出する凸部が設けられており、サポータベルトのベルト挿通孔に通された腰ベルトとベルト挿入部との相対的位置が、凸部と安全帯との摩擦によって腰ベルトの位置ずれが抑制される。さらに、ベルト挿入部はベース部に接続されているので、ベルト挿通孔に通された腰ベルトとサポータベルトとはその位置関係が保持され、着用者が一旦、腰ベルトをサポータベルトのベルト挿通孔に通した後は、意図的に腰ベルトをずらさない限り、腰ベルトとサポータベルトとの相対的位置は変更されにくくなり、サポータベルトと腰ベルトとの位置ずれが効果的に防止されるとしている。
【先行技術文献】
【特許文献】
【０００９】
【特許文献１】特開２０１４−２２６３９７号公報
【考案の概要】
【考案が解決しようとする課題】
【００１０】
上述したとおり、特許文献１に係る発明は、ベルト通しに着目したものであるものの、サポータベルトと腰ベルトとの位置ずれを防止するのみであり、作業者が工具ホルダをサポータベルトに所望の場所に装着したいとする課題を解決しない。本考案は、このような問題に鑑み、作業者が工具ホルダを所望の場所に装着することができ、かつ腰ベルトをサポータベルトにズレなく装着できるベルト通しと、該ベルト通しを備えたサポータベルトを提案することを課題とする。
【課題を解決するための手段】
【００１１】
本考案に係る安全帯サポータベルトは、一の帯状体を長さ方向において略三分の二の箇所で折り返し重合して第一のループを形成するとともに長片と短片とを形成し、短片の端部を固定カンに挿通し反転重合して第二のループを設け、長片は固定カンに挿通して折り曲げたときに互いに対向する部分を有しており、該対向する部分に雌雄が互いに逆となる面ファスナの組が設けられていることを特徴とする。なお、固定カンは一対であると、ベルトをよりしっかりと締め付けることが可能になる。また、連結カンを第一のループに挿通するとランヤードのフックを連結することができる。
【００１２】
また、本考案に係る安全帯サポータベルトは、前述した一又は複数のベルト通しを備え、作業者の胴部に巻き付け可能な周長で、その先端又はその近傍を係止しうるベルト金具を備える胴ベルトと、胴ベルトを通して保持するためのベルト挿入部を備え、該作業者の腰部を包み込む腰部サポータとを備えることを特徴とする。
【考案の効果】
【００１３】
本考案に係るベルト通しによれば、長片に設けられた面ファスナの着脱により、胴ベルトに着脱自在であり、複数のベルト通しの装着により、胴ベルトと安全帯サポータベルトのズレを防止することができる。また、本考案に係るベルト通しは胴ベルトに取り付ける際、胴ベルトの長さ方向に移動することができるので、着用者の所望の位置にベルト通しを固定でき、作業者独自のレイアウトが可能になる。さらに、本考案に係る安全帯サポータベルトによれば、ベルト本体に工具ホルダ等を装着した後、ベルト通しを外すことにより、工具ホルダ等を離脱できるので、胴ベルトを安全帯サポータベルトから外す必要がなく、利便性が高まるという効果がある。
【図面の簡単な説明】
【００１４】
【図１】本考案に係るベルト通し１において、開放した状態を示す斜視図（ａ）と側面図（ｂ）である。
【図２】図１に係るベルト通し１について、閉鎖した状態を示す斜視図（ａ）と側面図（ｂ）である。
【図３】図１に係るベルト通し１について、閉鎖した別の状態を示す斜視図（ａ）と側面図（ｂ）である。
【図４】本考案に係るサポータベルト１００を示す斜視図である。
【図５】本考案に係るサポータベルト１００を示す正面図（ａ）と、腰ベルトをサポータに装着した状態を示す正面図（ｂ）である。
【考案を実施するための最良の形態】
【００１５】
以下、本考案の実施例を図面に基づき詳細に説明する。各図において、同一部分には同一番号を付し、重複する説明は省略する。また、図面は、本考案を理解するために誇張して表現している場合もあり、必ずしも縮尺どおり精緻に表したものではないことに留意されたい。なお、本考案は下記に示される実施例に限られるものではない。
【実施例１】
【００１６】
実施例１を図面を参照して詳細に説明する。
【００１７】
図１を参照する。図１は、ベルト通し１において、開放した状態を示す斜視図（ａ）と側面図（ｂ）である。図１に示すとおり、ベルト通し１は、一の帯状体１０を長さ方向において略三分の二の箇所で折り返し重合して第一のループ１２を形成する。そうすると、第一のループ１２を境に長片１０ａと短片１０ｂとが形成される。なお、長片１０ａと短片１０ｂとの間にベルト挿通孔１１が形成され、ベルト挿通孔１１に後述する胴ベルト１３０を挿通することができる。そして、短片１０ｂの端部を固定カン２０、３０に挿通し反転重合することにより第二のループ１３を形成する。そして、長片１０ａの端部を、短片１０ｂの第二のループ１３に設けられた固定カン２０、３０に挿通して折り曲げる。このように折り曲げた状態において、長片１０ａの折れ曲がる側の面と第一のループ１２に近い側の面とが互いに対向する部分に雌雄が互いに逆となる面ファスナ５１、５２の組を設けている。なお、第一のループ１２や第二のループ１３の重合は縫合や接着により行うとよい。また、固定カン２０、３０は、一枚でもいいし、二枚のＤカンを用いてもよい。さらに、第一のループ１２に連結カンを挿通させて重合することにより、ランヤードのフック等を連結できるようにしてもよい。
【００１８】
図２を参照する。図２は、図１に係るベルト通し１について、閉鎖した状態１Ａを示す斜視図（ａ）と側面図（ｂ）である。図２に示すベルト通し１の状態は、長片１０ａの端部を、短片１０ｂの第二のループ１３に設けられた固定カン２０、３０の両方に挿通して折り曲げて、長片１０ａの面ファスナ５１、５２同士を係合させている状態１Ａである。このベルト通し１Ａの状態は、長片１０ａと短片１０ｂとの間に形成されたベルト挿通孔１１に後述する胴ベルト１３０を挿通する場合、面ファスナ５１、５２のみで固定されることが理解されるであろう。
【００１９】
図３を参照する。図３は、図１に係るベルト通し１について、閉鎖した別の状態１Ｂを示す斜視図（ａ）と側面図（ｂ）である。図３に示すベルト通し１の状態は、長片１０ａの端部を、固定カン２０、３０に通した後、固定カン２０と固定カン３０との間に通すことで留め、さらに長片１０ａの面ファスナ５１、５２を係合させている状態１Ｂである。このベルト通し１Ｂの状態は、長片１０ａと短片１０ｂとの間に形成されたベルト挿通孔１１に後述する胴ベルト１３０を挿通する場合、面ファスナ５１、５２ならびに二つの固定カン２０、３０で固定されていることが理解されるであろう。図３（ｂ）を参照すると、ベルト挿通孔１１が狭く小さくなっていることがわかる。すなわち、ベルト通し１の閉鎖を１Ｂの状態にすれば、後述するように、胴ベルト１３０がサポータベルト１００によりしっかりと固定されることになる。
【００２０】
図４を参照する。図４は、本考案に係るサポータベルト１００を示す斜視図である。本考案に係る安全帯サポータベルト１００は、サポータベルト１００は、帯状または板状の基部１１０に緩衝部１２０が取り付けられており、基部１１０は、ベルト挿入部１１２を含むガイド帯１１１と、複数のベルト通し１（図においては１Ａ）とを備え、さらに、ベルト挿入部１１２と複数のベルト通し１に挿通される胴ベルト１３０とから構成されている。ベルト挿入部１１２は、ベルト通し１と同じ構造としてもよいが、ガイド帯１１１に縫合されるなどして固定される。基部１１０は、緩衝部１２０と組み合わされることにより、サポータベルト１００が着用されたとき、着用者の腰部に沿い、腰部に適合する形状となるように、曲げ、撓めることが可能であって、かつ撓められたときに着用者の腰部に沿った形状を維持できるような剛性を有している。このような基部１１０の一部の材料として、ナイロン、ポリエステル等、任意の繊維材料を用いることが可能である。また、緩衝部１２０の材料としては、ポリウレタンやポリエチレン等任意の緩衝材や緩衝構造を用いることができる。緩衝部１２０により、作業中の着用者の腰部に対して加えられる外力が緩和され、その腰部が保護される。また、例えば着用者が立位姿勢を継続しなければならない状態であっても、緩衝部１２０によって、その腰部にかかる負担が軽減される。
【００２１】
図５を参照する。図５は、本考案に係るサポータ１００を示す正面図（ａ）と、腰ベルトをサポータに装着した状態を示す正面図（ｂ）である。図５（ａ）に示すとおり、基部１１０は、ベルト挿入部１１２を備えるガイド帯１１１と、複数のベルト通し１（図においては１Ａ）とを備える。ガイド帯１１１は、緩衝部材１３０側と反対側の面にあり、基部１１０と略平行に取り付けられる。なお、実施例１において、ガイド帯１１１は、基部１１０に縫着されているが（１１１ａ、１１１ｂ、１１１ｃ、１１１ｄ、１１１ｅ）、はり合わせられてもよい。また、基部１１０に、連結カン１１４を連結カン縫着部１１３で縫いつけて、ランヤードのフックを連結カン１１４に係止できるようにしてもよい。
【００２２】
図５（ｂ）を参照すると、複数の作業者の胴部に巻き付け可能な周長で、その先端又はその近傍を係止しうるベルト金具を備える胴ベルト１３０が、サポータベルト１００に装着されている。
【００２３】
以上、本考案に係るベルト通し１ならびにこれを含む安全帯サポータベルト１００における好ましい実施形態を図示して説明してきたが、本考案の技術的範囲を逸脱することなく種々の変更が可能であることは理解されるであろう。
【産業上の利用可能性】
【００２４】
本考案に係るベルト通し１を用いた安全帯サポータベルト１００は、仮枠、大工、左官、山林、造園、電気、ガス、水道等について、腰道具を携帯する作業や工事に従事する人が、胴ベルトに多くの作業用工具を吊り下げて長時間の作業を行う場合に、利用することができる。
【符号の説明】
【００２５】
１  １Ａ  １Ｂ  ベルト通し
１０  帯状体
１０ａ  長片
１０ｂ  短片
１１  ベルト挿通孔
１２  第一のループ
１３  第二のループ
２０  第一の固定カン
３０  第二の固定カン
４０  連結カン
５１  面ファスナ
５２  面ファスナ
１００  安全帯サポータベルト
１１０  基部
１１１  ガイド帯
１１２  ベルト挿入部
１１３  連結カン縫着部
１１４  連結カン
１２０  緩衝部
１３０  胴ベルト
【図１】
0003198912.tif 000003
【図２】
0003198912.tif 000004
【図３】
0003198912.tif 000005
【図４】
0003198912.tif 000006
【図５】
0003198912.tif 000007